(57)【要約】【課題】より簡易な操作で両円筒体を適切な状態に連結、設置することができる排水ドレン装置を提供する。【解決手段】両円筒体は、ごみ除け円筒体１０の筒部１１が受け用円筒体２０の筒部２１の内部に挿入される挿し込み連結構造とされており、ごみ除け円筒体１０は、受け用円筒体２０を押し上げて係止する押圧係止部（折り返しフック１２）を備えている一方、受け用円筒体２０は押圧係止部が係止される係止受部（凸片部２２）を備えており、押圧係止部は周方向の略同高さ位置に複数形成されており、筒部１１、２１どうしの回転操作で係止受部に対する押圧係止部の係止および係止解除が自在とされている。【選択図】図１
2018119304.tif 000002
【特許請求の範囲】
【請求項１】
上部にごみ除け部を設け、かつ周縁にフランジ部を設けたごみ除け円筒体と、周縁にフランジ部を設けた受け用円筒体とを備え、軒樋の底部に設けた排水孔の周縁部を両円筒体の前記フランジ部どうしで挟み、両円筒体の筒部が下方に突出した状態で、相互係止により前記軒樋に固定される排水ドレン装置であって、
前記両円筒体は、前記ごみ除け円筒体の筒部が前記受け用円筒体の筒部の内部に挿入される挿し込み連結構造とされており、
前記ごみ除け円筒体は、前記受け用円筒体を押し上げて係止する押圧係止部を備えている一方、前記受け用円筒体は前記押圧係止部が係止される係止受部を備えており、
前記押圧係止部は周方向の略同高さ位置に複数形成されており、前記筒部どうしの回転操作で前記係止受部に対する前記押圧係止部の係止および係止解除が自在とされたことを特徴とする排水ドレン装置。
【請求項２】
請求項１において、
前記押圧係止部は、前記ごみ除け円筒体の筒部の下端より下方に向けて突出した、本体片と該本体片の下端より折り返された折り返し片とよりなる折り返しフックとされる一方、
前記係止受部は、前記受け用円筒体の筒部の下端より下方に突出した凸片部とされており、
前記凸片部は台形状とされ、台形脚辺部の少なくとも一方が、他方の台形脚辺部に近づくように下端側の台形底辺部に向けて傾斜した形状とされ、
前記折り返しフックは、前記回転操作により、前記本体片と前記折り返し片との間に前記凸片部を挟んで、傾斜した前記台形脚辺部にガイドされるようにスライドしながら前記凸片部の下端側の台形底辺部に乗り上げて係止状態となることを特徴とする排水ドレン装置。
【請求項３】
請求項２において、
前記凸片部の下端側の台形底辺部に、前記折り返しフックのスライド移動が規制されるストッパ突起が形成されていることを特徴とする排水ドレン装置。
【請求項４】
請求項２または３において、
前記折り返し片は外面が膨出した形状とされることを特徴とする排水ドレン装置。
【発明の詳細な説明】
【技術分野】
【０００１】
本発明は、軒樋から竪樋に通じる排水孔に取りつける排水ドレン装置に関する。
【背景技術】
【０００２】
この種の排水ドレン装置は、排水孔からの水漏れを防止するために、軒樋内に配するごみ除け円筒体と、軒樋の下面側に配する受け用円筒体とを組み合わせて軒樋に取りつけ、ごみ除け円筒体のフランジ部と軒樋の底部との間をコーキング材で塞ぐ構成となっている（たとえば、特許文献１参照）。
【０００３】
特許文献１のものは、軒樋の底部の排水孔の周縁部を両円筒体のフランジ部どうしで挟み、両方の筒部が下方に突出した状態で連結されるようになっている。このような挟みこみを行うための円筒体どうしの連結は、両円筒体間の筒部どうしの螺合によってなされている。
【先行技術文献】
【特許文献】
【０００４】
【特許文献１】特開２００８−８２０５０号公報
【発明の概要】
【発明が解決しようとする課題】
【０００５】
しかしながら、このような螺合による連結方式の排水ドレン装置は、両円筒体を連結するために、いずれかの円筒体を何度も回転させなければならず、高所においては面倒な作業であった。
【０００６】
本発明は、このような事情を考慮して提案されたもので、その目的は、より簡易な操作で両円筒体を適切な状態に連結、設置することができる排水ドレン装置を提供することにある。
【課題を解決するための手段】
【０００７】
上記目的を達成するために、請求項１に記載の排水ドレン装置は、上部にごみ除け部を設け、かつ周縁にフランジ部を設けたごみ除け円筒体と、周縁にフランジ部を設けた受け用円筒体とを備え、軒樋の底部に設けた排水孔の周縁部を両円筒体のフランジ部どうしで挟み、両円筒体の筒部が下方に突出した状態で、相互係止により軒樋に固定される排水ドレン装置であって、両円筒体は、ごみ除け円筒体の筒部が受け用円筒体の筒部の内部に挿入される挿し込み連結構造とされており、ごみ除け円筒体は、受け用円筒体を押し上げて係止する押圧係止部を備えている一方、受け用円筒体は押圧係止部が係止される係止受部を備えており、押圧係止部は周方向の略同高さ位置に複数形成されており、筒部どうしの回転操作で係止受部に対する押圧係止部の係止および係止解除が自在とされたことを特徴とする。
【０００８】
請求項２に記載の排水ドレン装置は、押圧係止部は、ごみ除け円筒体の筒部の下端より下方に向けて突出した、本体片と本体片の下端より折り返された折り返し片とよりなる折り返しフックとされる一方、係止受部は、受け用円筒体の筒部の下端より下方に突出した凸片部とされており、凸片部は台形状とされ、台形脚辺部の少なくとも一方が、他方の台形脚辺部に近づくように下端側の台形底辺部に向けて傾斜した形状とされ、折り返しフックは、前記回転操作により、本体片と折り返し片との間に凸片部を挟んで、傾斜した台形脚辺部にガイドされるようにスライドしながら凸片部の下端側の台形底辺部に乗り上げて係止状態となることを特徴とする。
【０００９】
請求項３に記載の排水ドレン装置は、凸片部の下端側の台形底辺部に、折り返しフックのスライド移動が規制されるストッパ突起が形成されていることを特徴とする。
【００１０】
請求項４に記載の排水ドレン装置は、折り返し片が外面が膨出した形状とされることを特徴とする。
【発明の効果】
【００１１】
請求項１に記載の排水ドレン装置によれば、上述した構成になっているため、回転操作は周方向に１回転させる必要はなく、それ以下の回転操作でよく、排水ドレン装置の取りつけが簡易、迅速に行える。
【００１２】
請求項２に記載の排水ドレン装置によれば、上述した構成になっているため、簡単な回転操作で受け用円筒体を持ち上げた状態で両円筒体をしっかりと連結することができる。
【００１３】
請求項３に記載の排水ドレン装置によれば、上述した構成となっているため、ストッパ突起が係止動作のストッパとなり得、施工を確実にかつ効率的に行うことができる。
【００１４】
請求項４に記載の排水ドレン装置によれば、上述した構成となっているため、膨出部により竪樋の寸法調整を行える。また、竪樋と受け用円筒体との隙間空間を均一にでき、コーキングを適切に実施できる。
【図面の簡単な説明】
【００１５】
【図１】本発明の一実施形態に係る排水ドレン装置の分解斜視図および押圧係止部（折り返しフック）の拡大側面図である。
【図２】同排水ドレン装置を構成する両円筒体の係止による連結手順の説明図である。（ａ）（ｃ）は両円筒体の概略正面図、（ｂ）は一部拡大概略正面図である。
【図３】（ａ）は同排水ドレン装置の取付状態を示す概略正面図、（ｂ）は同排水ドレン装置に竪樋を取りつけたときの部分拡大概略縦断面図である。
【図４】折り返しフックの他の例の説明図である。（ａ）（ｂ）は、押圧係止部（折り返しフック）と係止受部（凸片部）との係止手順の説明図である。
【発明を実施するための形態】
【００１６】
以下に、本発明の実施の形態について、添付図面をもとに説明する。まず、本排水ドレン装置１の基本構成について説明する。
【００１７】
排水ドレン装置１は、上部にごみ除け部１４を設け、かつ周縁にフランジ部１３を設けたごみ除け円筒体１０と、周縁にフランジ部２３を設けた受け用円筒体２０とを備え、軒樋３０の底部３１に設けた排水孔３２の周縁部３３を両円筒体のフランジ部１３、２３どうしで挟み、両円筒体の筒部１１、２１が下方に突出した状態で、相互係止により軒樋３０に固定される装置である。
【００１８】
両円筒体は、ごみ除け円筒体１０の筒部１１が受け用円筒体２０の筒部２１の内部に挿入される挿し込み連結構造とされている。ごみ除け円筒体１０は、受け用円筒体２０を押し上げて係止する押圧係止部を備えている一方、受け用円筒体２０は押圧係止部が係止される係止受部を備えている。押圧係止部は周方向の略同高さ位置に複数形成されており、筒部１１、２１どうしの回転操作で係止受部に対する押圧係止部の係止および係止解除が自在とされている。
【００１９】
ついで、本排水ドレン装置１の詳細構成について説明する。
【００２０】
この排水ドレン装置１は、上述したように２つの円筒体（ごみ除け円筒体１０と受け用円筒体２０）を組み合わせて構成されている。図１に示すように、ごみ除け円筒体１０は筒部１１の上端側にフランジ部１３を有し、そのフランジ部１３の上方にごみ除け部１４が形成されている。ごみ除け部１４は、複数の棒材を曲げ加工して立体的に形成したもので、落ち葉などが堰き止められる程度の開口１４ａが形成されている。他方の受け用円筒体２０は筒部２１と、その上端側に配したフランジ部２３とを有してなる。
【００２１】
この排水ドレン装置１は、ごみ除け円筒体１０の筒部１１を受け用円筒体２０の筒部２１に挿し込んだ状態で使用されるため、ごみ除け円筒体１０の筒部１１の外径は受け用円筒体２０の筒部２１の内径よりもやや小さくなっている。
【００２２】
図１に示すように、両円筒体は、軒樋３０の底部３１に設けた排水孔３２の周縁部３３の上面にごみ除け円筒体１０のフランジ部１３を配し、下面に受け用円筒体２０のフランジ部２３を配して両側より挟んだ状態に取りつけられる。なお、図１中の符号３４は、軒樋３０の前後の上端部に設けられた、軒先等に固定した軒樋支持具（不図示）で支持するための耳部である。
【００２３】
両円筒体で軒樋３０の底部３１を挟持するために、ごみ除け円筒体１０の下端に押圧係止部が設けられ、受け用円筒体２０の下端に係止受部が設けられている。これら押圧係止部および係止受部はいずれも、筒部１１、２１の周方向において均等な間隔で３箇所に設けられている。
【００２４】
押圧係止部は、帯状材を折り曲げ加工してなる折り返しフック１２とされ、図１に示すように、本体片１２ａと、本体片１２ａの下端より折り返された折り返し片１２ｂとより構成されている。折り返しフック１２は、図１の拡大図に示すように、折り返し片１２ｂの上端が外側に開いて開口部１２ｃが形成され、その下方が絞られて絞り部１２ｄが形成され、さらにその下方が外側に膨出して膨出部１２ｅが形成されている。本体片１２ａ、折り返し片１２ｂ間において寸法が小さくなっている絞り部１２ｄで、後に詳述する係止受部を構成する凸片部２２を板厚方向に挟持できるようになっている。
【００２５】
この折り返しフック１２は、いずれのものも略同形状、略同寸法であり、略同高さ位置に形成されている。これらは切削、折曲加工により筒部１１と一体に形成してもよいが、筒部１１の下端部に別体を固着して形成してもよい。
【００２６】
係止受部は、受け用円筒体２０の筒部２１の下端より下方に突出した台形状の凸片部２２とされ、台形脚辺部２２ａの少なくとも一方が、他方の台形脚辺部２２ａに近づくように下端側の台形底辺部２２ｂ（下底）に向けて傾斜した形状とされる。図例のものは、一方の台形脚辺部２２ａのみが傾斜している。なお、上端側の台形底辺部２２ｂ（上底）は、図１の拡大図において２点鎖線で図示した。
【００２７】
また、凸片部２２の下端側の台形底辺部２２ｂには、折り返しフック１２のスライド移動が規制されるストッパ突起２２ｃが形成されている。図例のものは、傾斜していない台形脚辺部２２ａ側にストッパ突起２２ｃが形成されている。また、傾斜した台形脚辺部２２ａと下端側の台形底辺部２２ｂとの角部２２ｄは丸く形成されている。
【００２８】
押圧係止部と係止受部は、排水ドレン装置１が正しく取りつけられた状態で略同高さ位置となるように、それぞれの筒部１１、２１に形成されている。なお、両フランジ部１３、２３で軒樋３０の底部３１をしっかりと挟持できるように、折り返しフック１２の内底（折曲部の内側面）の高さ位置は、凸片部２２の下端側の台形底辺部２２ｂの位置と略同高さ位置となることが望ましい。
【００２９】
これらの円筒体は、図２に示すように、受け用円筒体２０の筒部２１がごみ除け円筒体１０の筒部１１に外嵌めされるように相互挿し込みして連結される。以下に図２をもとに施工手順を説明する。なお、図２および図３においては、折り返しフック１２および凸片部２２は正面側に視認される２つについて図示したが、背面側のものについては図示を省略した。
【００３０】
まず、図２（ａ）のように、折り返しフック１２が正面視で凸片部２２間に位置するように相互挿し込みする。つぎに、受け用円筒体２０を回転させて図２（ｂ）のように、本体片１２ａと折り返し片１２ｂとの間に凸片部２２を挟むようにして、折り返しフック１２が傾斜した台形脚辺部２２ａにガイドされるようにスライド移動操作を行う。
【００３１】
折り返しフック１２は、このスライド移動動作において、折り返し片１２ｂの上端が開いているため凸片部２２をスムーズに挟みこみ、さらなるスライド移動により、図２（ｂ）に示すように絞り部１２ｄで凸片部２２を板厚方向よりしっかりと挟持するようになる。
【００３２】
そしてさらにスライド移動操作をすることで、図２（ｃ）のように、本体片１２ａと折り返し片１２ｂとの折曲部１２ｆが凸片部２２の下端側の台形底辺部２２ｂに乗り上げる。この乗り上げまでの動作により受け用円筒体２０が持ち上げられて、両フランジ部１３、２３が軒樋３０の底部３１を挟持するようになる（図２（ｂ）の矢印参照）。そして、スライド動作は、折り返しフック１２の折曲部１２ｆと、ストッパ突起１２ｃとが当たることで止まる。なお、図１の拡大図および図２（ｂ）に示すように、傾斜した台形脚辺部２２ａと下側の台形底辺部２２ｂとの角部２２ｄはスムーズなスライド移動動作がなされるように湾曲形状とすることが望ましい。
【００３３】
折り返しフック１２がさらにスムーズに移動できるように、図４に示した例のように、折り返しフック１２を、折り返し片１２ｂが斜めに折り返された形状としてもよい。図４（ａ）に示すように、折り返しフック１２の折曲部１２ｆの正面視の傾斜が、凸片部２２の傾斜した台形脚辺部２２ａの傾斜とおおむね合致している。そのため、折り返しフック１２は傾斜した台形脚辺部２２ａをスライドしやすくなる。また、折り返しフック１２の折曲部１２ｆが凸片部２２の下端側の台形底辺部２２ｂに乗り上げ、さらにスライドすると、ストッパ突起２２ｃに当たる。
【００３４】
このように、周方向の複数個所に押圧係止部および係止受部が設けてあるため、簡単で迅速な操作で、両円筒体でしっかりと軒樋３０の底部３１を挟みこみでき、排水ドレン装置１の取りつけを短時間で効率的に行うことができる。本実施形態のものは押圧係止部（折り返しフック１２）が周方向の３箇所に設けてあるので、長くとも１／３回転程度の回転操作で取りつけできる。
【００３５】
なお、本実施形態では折り返しフック１２と凸片部２２とが１対１に対応しているが、凸片部２２が折り返しフック１２よりも多く形成されたものでもよい。たとえば、折り返しフック１２を周方向の２箇所に設け、凸片部２２を櫛歯状に多数設けるようにしてもよい。
【００３６】
また、本実施形態のものは、折り返しフック１２、凸片部２２のいずれも円筒体に一体的に切削、折曲加工などで簡単に形成され得るようになっているため、製造コストを抑えることができる。
【００３７】
こうして排水ドレン装置１は軒樋３０に適切に取りつけられ、その後、図３（ａ）に示すように円筒形状の竪樋４０が受け用円筒体２０の筒部２１に外嵌め取りつけされる。竪樋４０は、図３（ｂ）に示すように、内面が折り返しフック１２の膨出部１２ｅに接触するように外嵌めされる。
【００３８】
折り返しフック１２は帯状片で形成され、かつ折り返し片１２ｂの膨出部１２ｅがやや外側に突出しているため、径の小さめの竪樋４０が取りつけられた場合には、折り返しフック１２の本体片１２ａは円中心方向に弾性変形する。つまり、竪樋４０の径寸法の誤差は折り返しフック１２の本体片１２ａおよび膨出部１２ｅの作用により吸収される。また、膨出部１２ｅによれば、竪樋４０と受け用円筒体２０との隙間空間を均一にでき、コーキング材の充填を偏りなく適切に行うことができる。
【００３９】
また、竪樋４０は壁面（不図示）の複数個所に設けた竪樋支持具（不図示）によって、上端が受け用円筒体２０のフランジ部２３の下面に接触するように固定される。このように竪樋４０が上下にずれないようにしっかりと固定されるため、竪樋４０が設置された後には排水ドレン装置は竪樋４０によって支持され得る。
【００４０】
なお、排水ドレン装置１は取りつけとは反対の方向に回転操作することで簡単に係止が解除されるようになっているが、竪樋４０の取りつけによって排水ドレン装置１がしっかりと固定されるようになっているため特に問題はなく、施工後、両円筒体による軒樋３０の底部３１の挟持が弛むおそれはほとんどない。
【００４１】
また、水漏れ防止対策としては、ごみ除け円筒体１０を排水孔３２に取りつけるときに、フランジ部１３と排水孔３２の周縁部３３との間にコーキング材を注入してシールすればよい。さらに、竪樋４０内からの雨水のオーバーフローの対策として、受け用円筒体２０のフランジ部２３と軒樋３０の底部３１との間や、受け用円筒体２０の筒部２１とごみ除け円筒体１０の筒部１１との間、竪樋４０と受け用円筒体２０との間などもシールすることが望ましい。
【００４２】
なお、以上には押圧係止部として折り返しフック１２を、係止受部として凸片部２２を例示したが、これには限らず、他の形状、他の構造のものでもよいことは言うまでもないことである。
【符号の説明】
【００４３】
１          排水ドレン装置
１０        ごみ除け円筒体
１１        筒部
１２        折り返しフック（押圧係止部）
１２ａ      本体片
１２ｂ      折り返し片
１２ｅ      膨出部
１３        フランジ部
１４        ごみ除け部
２０        受け用円筒体
２１        筒部
２２        凸片部（係止受部）
２２ａ      台形脚辺部
２２ｂ      台形底辺部
２２ｃ      ストッパ突起
２３        フランジ部
３０        軒樋
３１        底部
３２        排水孔
３３        周縁部
【図１】
2018119304.tif 000003
【図２】
2018119304.tif 000004
【図３】
2018119304.tif 000005
【図４】
2018119304.tif 000006
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
上部にごみ除け部を設け、かつ周縁にフランジ部を設けたごみ除け円筒体と、周縁にフランジ部を設けた受け用円筒体とを備え、軒樋の底部に設けた排水孔の周縁部を両円筒体の前記フランジ部どうしで挟み、両円筒体の筒部が下方に突出した状態で、相互係止により前記軒樋に固定される排水ドレン装置であって、
前記両円筒体は、前記ごみ除け円筒体の筒部が前記受け用円筒体の筒部の内部に挿入される挿し込み連結構造とされており、
前記ごみ除け円筒体は、前記受け用円筒体を押し上げて係止する押圧係止部を備えている一方、前記受け用円筒体は前記押圧係止部が係止される係止受部を備えており、
前記押圧係止部は周方向の略同高さ位置に複数形成されており、前記筒部どうしの回転操作で前記係止受部に対する前記押圧係止部の係止および係止解除が自在とされており、
前記押圧係止部は、前記ごみ除け円筒体の筒部の下端より下方に向けて突出した、本体片と該本体片の下端より折り返された折り返し片とよりなる折り返しフックとされる一方、前記係止受部は、前記受け用円筒体の筒部の下端より下方に突出した凸片部とされており、
前記凸片部は台形状とされ、台形脚辺部の少なくとも一方が、他方の台形脚辺部に近づくように下端側の台形底辺部に向けて傾斜した形状とされ、
前記折り返しフックは、前記回転操作により、前記本体片と前記折り返し片との間に前記凸片部を挟んで、傾斜した前記台形脚辺部にガイドされるようにスライドしながら前記凸片部の下端側の台形底辺部に乗り上げて係止状態となることを特徴とする排水ドレン装置。
【請求項２】
請求項１において、
前記凸片部の下端側の台形底辺部に、前記折り返しフックのスライド移動が規制されるストッパ突起が形成されていることを特徴とする排水ドレン装置。
【請求項３】
請求項１または２において、
前記折り返し片は外面が膨出した形状とされることを特徴とする排水ドレン装置。
【手続補正２】
【補正対象書類名】明細書
【補正対象項目名】０００７
【補正方法】変更
【補正の内容】
【０００７】
上記目的を達成するために、請求項１に記載の排水ドレン装置は、上部にごみ除け部を設け、かつ周縁にフランジ部を設けたごみ除け円筒体と、周縁にフランジ部を設けた受け用円筒体とを備え、軒樋の底部に設けた排水孔の周縁部を両円筒体のフランジ部どうしで挟み、両円筒体の筒部が下方に突出した状態で、相互係止により軒樋に固定される排水ドレン装置であって、両円筒体は、ごみ除け円筒体の筒部が受け用円筒体の筒部の内部に挿入される挿し込み連結構造とされており、ごみ除け円筒体は、受け用円筒体を押し上げて係止する押圧係止部を備えている一方、受け用円筒体は押圧係止部が係止される係止受部を備えており、押圧係止部は周方向の略同高さ位置に複数形成されており、筒部どうしの回転操作で係止受部に対する押圧係止部の係止および係止解除が自在とされており、押圧係止部は、ごみ除け円筒体の筒部の下端より下方に向けて突出した、本体片と該本体片の下端より折り返された折り返し片とよりなる折り返しフックとされる一方、係止受部は、受け用円筒体の筒部の下端より下方に突出した凸片部とされており、凸片部は台形状とされ、台形脚辺部の少なくとも一方が、他方の台形脚辺部に近づくように下端側の台形底辺部に向けて傾斜した形状とされ、折り返しフックは、回転操作により、本体片と折り返し片との間に凸片部を挟んで、傾斜した台形脚辺部にガイドされるようにスライドしながら凸片部の下端側の台形底辺部に乗り上げて係止状態となることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の排水ドレン装置は、凸片部の下端側の台形底辺部に、折り返しフックのスライド移動が規制されるストッパ突起が形成されていることを特徴とする。
【手続補正５】
【補正対象書類名】明細書
【補正対象項目名】００１０
【補正方法】変更
【補正の内容】
【００１０】
請求項３に記載の排水ドレン装置は、折り返し片が外面が膨出した形状とされることを特徴とする。
【手続補正６】
【補正対象書類名】明細書
【補正対象項目名】００１２
【補正方法】変更
【補正の内容】
【００１２】
また、請求項１に記載の排水ドレン装置によれば、上述した構成になっているため、簡単な回転操作で受け用円筒体を持ち上げた状態で両円筒体をしっかりと連結することができる。
【手続補正７】
【補正対象書類名】明細書
【補正対象項目名】００１３
【補正方法】変更
【補正の内容】
【００１３】
請求項２に記載の排水ドレン装置によれば、上述した構成となっているため、ストッパ突起が係止動作のストッパとなり得、施工を確実にかつ効率的に行うことができる。
【手続補正８】
【補正対象書類名】明細書
【補正対象項目名】００１４
【補正方法】変更
【補正の内容】
【００１４】
請求項３に記載の排水ドレン装置によれば、上述した構成となっているため、膨出部により竪樋の寸法調整を行える。また、竪樋と受け用円筒体との隙間空間を均一にでき、コーキングを適切に実施できる。